【手続補正書】
【提出日】平成18年12月18日(2006.12.18)
【手続補正１】
【補正対象書類名】特許請求の範囲
【補正対象項目名】全文
【補正方法】変更
【補正の内容】
【特許請求の範囲】
【請求項１】
文書画像を管理するための情報処理装置であって、
入力された文書画像データにおいて、インデックス情報を抽出すべき領域を指定する指定手段と、
前記指定手段で指定された領域に対してインデックス項目を設定する設定手段と、
前記指定された領域を特定する情報と前記設定手段で設定されたインデックス項目を示す情報とを関連付けたインデックス抽出情報を生成する生成手段と、
前記生成手段で生成されたインデックス抽出情報を前記文書画像データに合成する合成手段とを備えることを特徴とする情報処理装置。
【請求項２】
前記生成手段は、前記インデックス抽出情報を含むパターンイメージを生成し、
前記合成手段は、前記生成手段で生成されたパターンイメージを前記文書画像データに合成することを特徴とする請求項１に記載の情報処理装置。
【請求項３】
前記文書画像データに対して領域分割処理を実行する分割手段を更に備え、
前記指定手段は、前記領域分割処理の実行結果を提示して、ユーザに領域を選択させることを特徴とする請求項１又は２に記載の情報処理装置。
【請求項４】
前記領域を示す情報は、文書中の領域の位置座標と大きさを含むことを特徴とする請求項１乃至３のいずれか１項に記載の情報処理装置。
【請求項５】
前記設定手段は、更に文字認識処理のための補助的な情報を設定可能であり、
前記生成手段における前記インデックス抽出情報は前記補助的な情報を更に含むことを特徴とする請求項１乃至４のいずれか１項に記載の情報処理装置。
【請求項６】
入力された文書画像データの中で文字認識処理をすべき領域の指定を受け付ける指定手段と、
前記指定手段で指定された領域を示すパターンイメージを生成する生成手段と、
前記生成手段で生成されたパターンイメージを前記文書画像データに合成する合成手段とを備えることを特徴とする情報処理装置。
【請求項７】
文書画像を管理するための情報処理装置であって、
文書を光学的に読み取って得られた文書画像データより、予め定められた形態で記録されている情報を解析して、領域を特定するための情報と該領域に対して設定されたインデックス項目とを含むインデックス抽出情報を抽出する解析手段と、
前記解析手段で抽出した前記インデックス抽出情報によって特定される領域の画像を前記文書画像データより抽出し、抽出した画像について文字認識処理を実行する認識手段と、
前記認識手段で得られた文字データを前記インデックス抽出情報によって示されるインデックス項目に対するインデックス情報として、該インデックス情報とともに前記文書画像データを登録する登録手段とを備えることを特徴とする情報処理装置。
【請求項８】
前記解析手段は、文書を光学的に読み取って得られた文書画像データより予め定められた形態のパターンイメージを取得し、該パターンイメージを解析して前記インデックス抽出情報を抽出することを特徴とする請求項７に記載の情報処理装置。
【請求項９】
前記インデックス抽出情報は更に文字認識処理に関する補助情報を含み、
前記認識手段は、前記補助情報に基づいて、使用する文字認識処理を切り替えることを特徴とする請求項７に記載の情報処理装置。
【請求項１０】
文書画像を管理するための情報処理装置による情報処理方法であって、
提示手段が、入力された文書画像データにおいて、インデックス情報を抽出すべき領域を指定するためのユーザインターフェースを提示する提示工程と、
設定手段が、前記提示工程で提示されたユーザインターフェースを介して指定された領域に対してインデックス項目を設定する設定工程と、
生成手段が、前記指定された領域を特定する情報と前記設定工程で設定されたインデックス項目を示す情報とを関連付けたインデックス抽出情報を生成する生成工程と、
合成手段が、前記生成工程で生成されたインデックス抽出情報を前記文書画像データに合成する合成工程とを備えることを特徴とする情報処理方法。
【請求項１１】
文書画像を管理するための情報処理装置による情報処理方法であって、
指定手段が、入力された文書画像データの中で文字認識処理をすべき領域の指定を受け付ける指定工程と、
生成手段が、前記指定工程で指定された領域を示すパターンイメージを生成する生成工程と、
合成手段が、前記生成工程で生成されたパターンイメージを前記文書画像データに合成する合成工程とを備えることを特徴とする情報処理方法。
【請求項１２】
文書画像を管理するための情報処理装置による情報処理方法であって、
解析手段が、入力された文書画像データより、予め定められた形態で記録されている情報を解析して、領域を特定するための情報と該領域に対して設定されたインデックス項目とを含むインデックス抽出情報を抽出する解析工程と、
認識手段が、前記解析工程で抽出した前記インデックス抽出情報によって特定される領域の画像を前記文書画像データより抽出し、抽出した画像について文字認識処理を実行する認識工程と、
登録手段が、前記認識工程で得られた文字データを前記インデックス抽出情報によって示されるインデックス項目に対するインデックス情報として、該インデックス情報とともに前記文書画像データを登録する登録工程とを備えることを特徴とする情報処理方法。
【請求項１３】
請求項１０乃至１２のいずれか１項に記載の情報処理方法をコンピュータに実行させるためのプログラム。
【請求項１４】
請求項１０乃至１２のいずれか１項に記載の情報処理方法をコンピュータに実行させるためのプログラムを格納したコンピュータ読み取り可能な記憶媒体。
【手続補正２】
【補正対象書類名】明細書
【補正対象項目名】０００６
【補正方法】変更
【補正の内容】
【０００６】
上記の目的を達成するための本発明の一態様による情報処理装置は以下の構成を備える。すなわち、
文書画像を管理するための情報処理装置であって、
文書を光学的に読み取って得られた文書画像データより、予め定められた形態で記録されている情報を解析して、領域を特定するための情報と該領域に対して設定されたインデックス項目とを含むインデックス抽出情報を抽出する解析手段と、
前記解析手段で抽出した前記インデックス抽出情報によって特定される領域の画像を前記文書画像データより抽出し、抽出した画像について文字認識処理を実行する認識手段と、
前記認識手段で得られた文字データを前記インデックス抽出情報によって示されるインデックス項目に対するインデックス情報として、該インデックス情報とともに前記文書画像データを登録する登録手段とを備える。
なお、好ましくは、上記インデックス抽出情報は、パターンイメージとして文書画像データに合成されるが、パターンイメージとしては、２次元バーコードのような可視画像のみならず、電子透かしとして埋め込まれたものも含み得る。
【手続補正３】
【補正対象書類名】明細書
【補正対象項目名】０００７
【補正方法】変更
【補正の内容】
【０００７】
また、上記の目的を達成するための本発明の他の態様による情報処理装置は以下の構成を備える。すなわち、
文書画像を管理するための情報処理装置であって、
文書を光学的に読み取って得られた文書画像データより、所定の形態で記録されている情報を解析して、領域を特定するための情報と該領域に対して設定されたインデックス項目とを含むインデックス抽出情報を抽出する解析手段と、
前記解析手段で抽出した前記インデックス抽出情報によって特定される領域の画像を前記文書画像データより抽出し、抽出した画像について文字認識処理を実行する認識手段と、
前記認識手段で得られた文字データを前記インデックス抽出情報によって示されるインデックス項目に対するインデックス情報として、該インデックス情報とともに前記文書画像データを登録する登録手段とを備える。
なお、好ましくは、上記所定の形態で記録されている情報は、パターンイメージとして文書画像に記録されているが、パターンイメージとしては、２次元バーコードのような可視画像のみならず、電子透かしとして埋め込まれたものも含み得る。
【手続補正４】
【補正対象書類名】明細書
【補正対象項目名】発明の名称
【補正方法】変更
【補正の内容】
【発明の名称】情報処理装置及び情報処理方法